(57)【要約】【課題】車両前方の映像と車両情報の映像とを１枚の液晶パネルにて同時に表示する。【解決手段】赤外線カメラにて撮影された車両前方の映像の信号は、ビデオ信号であるＮＴＳＣ信号に変換されて、同期分離回路部２に送信される。同期分離回路部２は、ＮＴＳＣ信号を映像信号と同期信号とに分離して、クロマ回路部３に送信する。クロマ回路部３は、映像信号をＲＧＢ信号に変換し、同期信号をオンスクリーンＩＣ部４に送信する。オンスクリーンＩＣ部４は、クロマ回路部３からの同期信号に同期した車両情報の映像の信号を作製し、ＲＧＢ信号に変換してからクロマ回路部３に送信する。クロマ回路部３は、車両情報をオンスクリーンさせる部分の車両前方の映像のＲＧＢ信号を、車両情報の映像のＲＧＢ信号に書き換えて、その書き換えた車両前方の映像のＲＧＢ信号を映像表示部５に送信する。【選択図】        図１
2004356962.tif 000002
【特許請求の範囲】
【請求項１】
撮像手段にて撮影された車両前方の映像に対して、車両情報の映像をオンスクリーンさせるための処理を行う映像処理部（３）と、
前記車両前方の映像にオンスクリーンさせるための前記車両情報の映像の作製を行う映像作製部（４）と、
前記映像処理部（３）にて処理された映像を表示する液晶パネルを有しており、前記液晶パネルに出力した映像をヘッドアップディスプレイに表示する映像表示部（５）とを備えて構成され、
前記映像処理部（３）は、
前記車両前方の映像の信号をＲＧＢ信号に変換する手段と、
前記車両前方の映像に、前記映像作製部（４）にて作製された前記車両情報の映像をオンスクリーンするために、前記車両前方の映像のＲＧＢ信号の少なくとも一部を前記車両情報の映像のＲＧＢ信号に置き換える手段と、
前記車両情報がオンスクリーンされた前記車両前方の映像の前記ＲＧＢ信号を前記映像表示部（５）に送信する手段とを有することを特徴とする車両用映像表示装置。
【請求項２】
前記映像作製部（４）にはオンスクリーンＩＣが備えられており、このオンスクリーンＩＣは車両情報の文字が記録されたフォント（８）を有して、このフォント（８）にオンスクリーンさせる前記車両情報の映像を作製するようになっていることを特徴とする請求項１に記載の車両用映像表示装置。
【請求項３】
前記車両前方の映像に対して、前記車両情報の映像をオンスクリーンさせる指示を行う指示部（１）と、
前記撮像手段にて撮影された前記車両前方の映像の信号を取り込み、この信号を前記車両前方の映像の映像信号と、映像を走査させて画面に表示するためのタイミングを有する同期信号とに分離する信号分離部（２）とを備えていることを特徴とする請求項１又は２に記載の車両用映像表示装置。
【請求項４】
前記映像処理部（３）には、前記信号分離部（２）からの同期信号と、前記映像表示部（５）からの映像をドットに表示するタイミングを有する同期信号とが入力され、
前記映像処理部（３）は、前記映像表示部（５）からの同期信号を、前記信号分離部（２）からの同期信号に同期させるようになっていることを特徴とする請求項３に記載の車両用映像表示装置。
【発明の詳細な説明】
【０００１】
【発明の属する技術分野】
本発明は、車両前方の映像と車速等の車両情報の映像とを１枚の液晶パネルにて同時に表示する車両用映像表示装置に関するものである。
【０００２】
【従来の技術】
従来、運転者に対して車速や簡易ナビゲーションなどの車両情報を認識させる装置として、車両用ヘッドアップディスプレイ装置が用いられている。この装置では、液晶パネルに出力された車両情報を、反射板に反射させてガラス面のフロントウインドシールドに表示させている。このような車両用ヘッドアップディスプレイ装置の液晶パネルには、セグメント型液晶パネルが用いられており、各車両情報ごとに１枚のセグメント型液晶パネルが用意され、それぞれのセグメント型液晶パネルで、各車両情報が表示されるようになっている。このようにすることで、ヘッドアップディスプレイに各車両情報の映像が高輝度で表示され、車両情報の認識を容易にしている。
【０００３】
【発明が解決しようとする課題】
しかしながら、１枚のセグメント型液晶パネルにつき１つの車両情報のみしか表示できないので、車速や簡易ナビゲーションなどの車両情報ごとにセグメント型液晶パネルを用意する必要があった。したがって、ヘッドアップディスプレイには、車両情報の数に応じた枚数のセグメント型液晶パネルを重ねて表示させることになり、ヘッドアップディスプレイに表示される車両情報の輝度を低下させ、本来可能であるセグメント型液晶パネルの高輝度表示が実現できなくなるという問題があった。
【０００４】
また、赤外線カメラにて撮影した車両前方の映像を表示したい場合があるが、セグメント型液晶パネルでは、表示させる文字が決められているので、車両前方の映像を表示することは困難である。このため、車両前方の映像を表示させるためには、ＴＦＴ型液晶パネルを用い、このパネルに表示させた映像をヘッドアップディスプレイに表示させることが考えられる。しかしながら、ＴＦＴ型液晶パネルの光の透過率は７％であり、セグメント型液晶パネルと重ねてヘッドアップディスプレイに表示させると、表示される映像の輝度が低下する可能性がある。
【０００５】
本発明は、上記点に鑑み、１枚の液晶パネルにて車両前方の映像および車両情報の映像を同時に表示できる車両用映像表示装置を提供することを目的とする。
【０００６】
【課題を解決するための手段】
上記目的を達成するため、請求項１に記載の発明では、車両前方の映像の信号をＲＧＢ信号に変換する手段と、車両前方の映像に、映像作製部（４）にて作製された車両情報の映像をオンスクリーンするために、車両前方の映像のＲＧＢ信号の少なくとも一部を車両情報の映像のＲＧＢ信号に置き換える手段と、車両情報がオンスクリーンされた車両前方の映像のＲＧＢ信号を映像表示部（５）に送信する手段とを有することを特徴としている。
【０００７】
これによると、撮像手段にて撮影された車両前方の映像のＲＧＢ信号の一部を、車速などの車両情報の映像のＲＧＢ信号に置き換えることができる。したがって、車両前方の映像に車両情報の映像をオンスクリーンさせることができ、ヘッドアップディスプレイに車両前方の映像と車両情報の映像とを同時に表示させることができる。
【０００８】
請求項２に記載の発明では、オンスクリーンＩＣは車両情報の文字が記録されたフォント（８）を有しており、このフォント（８）にオンスクリーンさせる車両情報の映像を作製することを特徴としている。
【０００９】
これにより、フォント（８）にあらかじめ記録された文字を組み合わせることにより、車両前方の映像にオンスクリーンさせる映像を容易に作製することができる。また、フォント（８）の数を増減したり、各フォント（８）のビット数を増減することで、表示させる車両情報の映像の領域を制御することも可能である。
【００１０】
請求項３に記載の発明では、車両前方の映像に対して、車両情報の映像をオンスクリーンさせる指示を行う指示部（１）と、撮像手段にて撮影された車両前方の映像の信号を取り込み、この信号を車両前方の映像の映像信号と、映像を走査させて画面に表示するためのタイミングを有する同期信号とに分離する信号分離部（２）とを備えていることを特徴としている。
【００１１】
これにより、ヘッドアップディスプレイに車両前方の映像と車両情報の映像とを同時に表示させるための指示を行うことができる。また、車両前方の映像の信号を取り込み、その信号を映像信号と同期信号とに分離することで、この同期信号を液晶パネルに映像を表示させるために使用することができる。
【００１２】
請求項４に記載の発明では、映像処理部（３）は、映像表示部（５）からの同期信号を、信号分離部（２）からの同期信号に同期させることを特徴としている。
【００１３】
このように、映像処理部（３）は、映像表示部（５）から送信される１ドットごとに映像を表示させるタイミングを有する同期信号を、信号分離部（２）から送信される１ラインごとに映像を表示させるタイミングを有する同期信号に同期させることにより、撮像手段にて撮影された映像を液晶パネルにて表示することができるようになる。
【００１４】
なお、上記各手段の括弧内の符号は、後述する実施形態に記載の具体的手段との対応関係を示すものである。
【００１５】
【発明の実施の形態】
（第１実施形態）
図１は、本発明の第１実施形態における映像表示装置のブロック構成図である。車両用映像表示装置は、映像撮像部Ｃと、マイクロコンピュータ部１と、同期分離回路部２と、クロマ回路部３と、オンスクリーンＩＣ部４と、映像表示部５とから構成される。
【００１６】
映像撮像部Ｃは、赤外線カメラを備えており、この赤外線カメラにて車両前方の映像を撮影するものである。赤外線カメラにて撮影された車両前方の映像の信号は、ビデオ信号であるＮＴＳＣ信号に変換されてから同期分離回路部２に送信される。
【００１７】
マイクロコンピュータ部１は、車両情報を表示させるか否かの情報をオンスクリーンＩＣ部４に与えるものであり、本発明における指示部に相当する。車両情報を表示させるか否かの情報は、車室に設置されたスイッチ（図示せず）が運転者によって操作されると、マイクロコンピュータ部１に入力される。
【００１８】
同期分離回路部２は、ＮＴＳＣ信号に変換された車両前方の映像の信号を分離するものであり、本発明における信号分離部に相当する。具体的には、同期分離回路部２は、ＮＴＳＣ信号を車両前方の映像を示す映像信号と、映像を走査させて画面に表示するためのタイミングを有する同期信号とに分離して、クロマ回路部３に送信する。
【００１９】
クロマ回路部３は、同期分離回路部２から入力された映像信号を、カラー映像の基になるＲＧＢ信号に変換する機能を備えており、同期分離回路部２から入力された同期信号と同じ同期信号をオンスクリーンＩＣ部４に送信する役割も果たす。クロマ回路部３は、本発明における映像処理部に相当する。
【００２０】
また、クロマ回路部３には、同期分離回路部２から送信された１ラインごとに映像を走査させて表示させるタイミングを有する同期信号が入力されるが、映像表示部５から送信された１ドットごとに映像を表示させるタイミングを有する同期信号も入力される。これに応じて、クロマ回路部３は、映像表示部５からの同期信号を、同期分離回路部２からの同期信号に同期させることにより、赤外線カメラにて撮影された映像を液晶パネルにて表示できるようにしている。
【００２１】
さらに、クロマ回路部３には、オンスクリーンＩＣ部４から車両情報の映像のＲＧＢ信号が入力される。これを受けて、クロマ回路部３は、車両前方の映像に車両情報の映像をオンスクリーンさせるための処理を行う。具体的には、車両前方の映像に車両情報の映像をオンスクリーンさせる部分のＲＧＢ信号を消去して、その部分に車両情報の映像のＲＧＢ信号を書き込む。このようにすることで、車両前方の映像に車両情報の映像が含まれたＲＧＢ信号を作製することができる。そして、このＲＧＢ信号を映像表示部５に送信する。
【００２２】
オンスクリーンＩＣ部４は、車両情報の映像を作製するオンスクリーンＩＣを備えている。また、オンスクリーンＩＣ部４は、作製された車両情報の映像の処理も行う。このオンスクリーンＩＣ部４が、本発明における映像作製部に相当する。具体的には、オンスクリーンＩＣ部４は、マイクロコンピュータ部１から車両情報を表示させる指示を受けて、車両前方の映像にオンスクリーンさせる車両情報の映像を作製する。このとき、クロマ回路部３から入力された同期信号に同期した映像信号を作製する。そして、この車両情報の映像信号をＲＧＢ信号に変換してから、クロマ回路部３に送信する。クロマ回路部３は、このＲＧＢ信号を車両前方の映像のＲＧＢ信号に書き込む。
【００２３】
映像表示部５は、クロマ回路部３から送信されたＲＧＢ信号を液晶パネルに映像として表示して、その映像をヘッドアップディスプレイに表示するものである。液晶パネルとしては、例えばＴＦＴ型液晶パネルが用いられる。
【００２４】
また、映像表示部５は、上述したように、クロマ回路部３にて液晶パネルのドットに映像を表示させるタイミングを有する同期信号を、ＮＴＳＣ信号から分離された同期信号に同期させるために、この液晶パネルのドットに映像を表示させるタイミングを有する同期信号をクロマ回路部３に送信する。
【００２５】
この映像表示部５の正面図を図２に示す。クロマ回路部３から送信されたＲＧＢ信号は、図２に示すように映像表示部５の液晶パネルにおける映像表示領域６に表示される。そして、車両情報は車両情報表示領域７に表示される。車両情報表示領域７は、後述するが、フォント８領域がいくつか組み合わされて出来ている。なお、図２において、映像表示領域６内に描かれた実線は、車両情報表示領域７を形成する各フォント８領域を示しているのであって、実際には見えない。
【００２６】
車両情報の映像は、オンスクリーンＩＣに備えられたフォント８領域内に作製される。フォント８は、車両情報が表示される領域を示すものである。各フォント８は、車両情報を示す文字の一部分を表示するものであり、これら各フォント８がパズルのように組み合わされて車両情報表示領域７が形成され、全体で車両情報を表示するようになっている。したがって、車両情報が各フォント８ごとにパターン化され、オンスクリーンＩＣに記録されている。各フォント８のドット数が画像表示能力となる。
【００２７】
例えばフォント８は、１６ドット×１６ドットの画像表示能力を有しており、このフォント８を縦および横に配列することで車両情報表示領域７が形成される。図２のように、１６ドット×１６ドットの画像表示能力をもつフォント８を、縦３つ、横６つ配列させて組み合わせると、車両情報表示領域７全体で４８ドット×９６ドットの画像表示能力を有することになる。
【００２８】
なお、映像表示部５にて映像が表示される映像表示領域６内において、車両情報表示領域７はどの場所に設置されても構わない。また、車両情報表示領域７のサイズは、フォント８の数を増減したり、各フォント８のビット数を増減することで変更可能であり、映像表示領域６内に収まれば、どんなサイズでもよい。ただし、運転者に車両前方の映像および車両情報の映像の両方を認識させるために、車両情報表示領域７は映像表示領域６内の下部に設置されるのが好ましい。
【００２９】
このような機能を有する車両用映像表示装置において、車両前方の映像および車両情報は以下のようにして同時に表示される。
【００３０】
まず、運転者が車室に設置されたスイッチを操作して、マイクロコンピュータ部１に車両前方の映像および車両情報の映像を同時に表示する旨の情報を与える。マイクロコンピュータ部１は、車両情報を表示することと、何の車両情報を表示するのかをオンスクリーンＩＣ部４に指示する。
【００３１】
一方、赤外線カメラにて撮影された車両前方の映像の信号は、ビデオ信号であるＮＴＳＣ信号に変換されてから、同期分離回路部２に入力される。このＮＴＳＣ信号は同期分離回路部２にて車両前方の映像の映像信号と同期信号とに分離され、クロマ回路部３に送信される。
【００３２】
そして、クロマ回路部３には、同期分離回路部２にて分離された車両前方の映像の映像信号および同期信号が入力される。続いて、クロマ回路部３に入力された同期信号と同じ同期信号がオンスクリーンＩＣ部４に送信され、車両前方の映像の映像信号がクロマ回路部３にてＲＧＢ信号に変換される。
【００３３】
また、オンスクリーンＩＣ部４には、マイクロコンピュータ部１からの車両情報を表示する指示と、クロマ回路部３からの１ラインごとに映像を表示するタイミングを有する同期信号とが入力されている。これを受けて、オンスクリーンＩＣ部４は、クロマ回路部３からの同期信号に同期させた車両情報の映像の信号を作製する。車両情報の映像の信号は、各フォント８ごとにパターン化された文字の一部を表示させる設定を行うことで作製される。その後、この車両情報の映像の信号は、オンスクリーンＩＣ部４にてＲＧＢ信号に変換されてから、クロマ回路部３に送信される。
【００３４】
ここで、クロマ回路部３は、車両前方の映像に車両情報の映像をオンスクリーンさせるために、車両前方の映像のＲＧＢ信号を車両情報の映像のＲＧＢ信号に置き換える。すなわち、映像表示領域６内に設置された車両情報表示領域７内において、車両情報の文字がオンスクリーンされる部分の車両前方の映像のＲＧＢ信号は消され、その部分に車両情報の映像のＲＧＢ信号が書き込まれることになる。これは、フォント８領域内にあらかじめ表示される文字の位置が決まっているため、フォント８内のすべてのＲＧＢ信号が書き換えられないことを示している。そして、車両情報が書き込まれた車両前方の映像のＲＧＢ信号は、映像表示部５に送信される。
【００３５】
これにより、映像表示部５には、クロマ回路部３からのＲＧＢ信号が入力され、その信号が液晶パネルに出力され、映像として表示される。この映像がヘッドアップディスプレイに表示され、したがって、車両前方の映像および車両情報の映像が同時に表示されることになる。
【００３６】
このようにして、車両前方の映像にオンスクリーンされた車両情報の映像が、ヘッドアップディスプレイに表示される。例えば、図２に示すように、車両前方の映像に車速の映像がオンスクリーンされた形態になっている。なお、車両情報表示領域７内であっても、フォント８領域内において文字を表示しない部分には車両前方の映像が表示されており、車両前方の映像の上に車速の文字のみがオンスクリーンされているように見える。
【００３７】
このように、オンスクリーンＩＣを用いることにより、車両情報の映像を作製することができ、さらに、車両前方の映像の上に車両情報をオンスクリーンさせて表示することができる。また、１枚の液晶パネルに車両前方の映像および車両情報が表示されるので、ヘッドアップディスプレイに表示される映像の輝度を確保することができ、運転者に車両前方の映像を表示させながら、車速などの車両情報を同時に認識させることができる。
【００３８】
（他の実施形態）
本発明に係る第１実施形態の車両用映像表示装置は、ヘッドアップディスプレイに車両前方の映像のみ、もしくは車両情報の映像のみを表示することも可能である。
【００３９】
車両前方の映像のみの表示は、以下のようにして行われる。まず、運転者が車室に設置されたスイッチを操作して、マイクロコンピュータ部１に車両前方の映像のみを表示する旨の情報を与える。これにより、マイクロコンピュータ部１は、オンスクリーンＩＣ部４に車両情報の映像を非表示にするように指示する。
【００４０】
すると、車両情報の映像を非表示にする指示を受けたオンスクリーンＩＣ部４は、車両情報の映像信号をクロマ回路部３に送信しないように設定する。これにより、車両情報の映像信号はクロマ回路部３に送信されず、映像表示部５には車両前方の映像のＲＧＢ信号のみが入力される。したがって、ヘッドアップディスプレイには車両前方の映像のみが表示される。
【００４１】
例えば、映像表示部５が表示する車両前方の様子は図３のように示される。この図に示すように、車両前方の映像のみが表示されることになる。このように、車両情報表示領域７には車両情報が表示されず、映像表示領域６全体に車両前方の映像のみが表示される。このようにして、車両前方の映像のみを表示させることもできる。なお、図３に示す映像表示領域６内に描かれた実線は、図２と同様に、実際には見えない。
【００４２】
次に、車速などの車両情報の映像のみの表示は、以下のようにして行われる。まず、運転者が車室に設置されたスイッチを操作して、車両情報の映像のみを表示させる旨の情報をマイクロコンピュータ部１に与える。このとき、車両前方の映像を表示させないので、車両前方の映像の信号はクロマ回路部３に入力されない。
【００４３】
したがって、オンスクリーンＩＣ部４には同期分離回路部２からの同期信号が入力されないことになる。そこで、映像表示部５は、１ドットごとに映像を表示させるタイミングを有する同期信号をクロマ回路部３に送信する。クロマ回路部３は、映像表示部５から送られた同期信号と同じ同期信号をオンスクリーンＩＣ部４に送信する。
【００４４】
それに応じて、オンスクリーンＩＣ部４は、クロマ回路部３から入力された同期信号に同期させた車両情報の映像の信号を作製する。そして、この車両情報の映像の信号をＲＧＢ信に変換してからクロマ回路部３を経由させて、映像表示部５に送信する。
【００４５】
これにより、映像表示部５には、車両情報の映像のＲＧＢ信号のみが入力され、車両情報表示領域７内に車両情報が表示される。このようにして、ヘッドアップディスプレイに車両情報の映像のみを表示することもできる。
【００４６】
また、表示したい複数の車両情報をオンスクリーンＩＣ部４にあらかじめ設定しておけば、車両前方の映像に複数の車両情報の映像を同時にオンスクリーンさせて表示することも可能である。
【図面の簡単な説明】
【図１】本発明に係る映像表示装置のブロック構成図である。
【図２】車両前方の映像に車速の映像をオンスクリーンさせた概略図である。
【図３】車両前方の映像のみを表示させた概略図である。
【符号の説明】
１…マイクロコンピュータ部、２…同期分離回路部、３…クロマ回路部、
４…オンスクリーンＩＣ部、５…映像表示部、６…映像表示領域、
７…車両情報表示領域、８…フォント、Ｃ…映像撮像部。
【図１】
2004356962.tif 000003
【図２】
2004356962.tif 000004
【図３】
2004356962.tif 000005